(57)【要約】  【課題】  簡単な構成で、グリルボックスの清掃作業を簡便に、しかも確実に行えるようにした加熱調理装置を提供する。  【解決手段】  グリルボックス２の内部に設けられ、グリルボックス２への調理物からの油類の飛散，付着を防止するオイルガード３は、略Ｕ字或いは略コ字状の断面を有するアーチ形をしており、下方に開口している。また、オイルガード３はグリルボックス２左右内側面より突設するガイドレール２１の上辺に沿って、グリルボックス２の内側を前後にスライドするようになっている。【選択図】      図２
2005074150.tif 000002
【特許請求の範囲】
【請求項１】
グリルボックスと、該グリルボックスの内側に設けられ、前記グリルボックスへの調理物からの油類の飛散，付着を防止するオイルガードと、該オイルガードの下側に設けられたグリル受け皿と、前記グリルボックスに開閉可能に取り付けられた扉部材とを備え、
前記オイルガードは、前記グリルボックスから外側へ引き出すことが可能であることを特徴とする加熱調理装置。
【請求項２】
前記オイルガードは、略Ｕ字或いは略コ字状の断面を有し、下方に開口したアーチ形をしていることを特徴とする請求項１に記載の加熱調理装置。
【請求項３】
前記オイルガードの左右側面の下端部は、該オイルガードの内側壁面を伝わって滴り落ちる油類が、前記グリル受け皿に落下するように、内側に所定の角度で曲げられていることを特徴とする請求項２に記載の加熱調理装置。
【請求項４】
前記グリルボックスに、前記オイルガード用と前記グリル受け皿用とを兼ねるガイドレールを設けたことを特徴とする請求項１〜請求項３のいずれかに記載の加熱調理装置。
【請求項５】
前記オイルガードが前記グリルボックスから自然に抜け出るのを防止するための抜け止め部を設けたことを特徴とする請求項１〜請求項４のいずれかに記載の加熱調理装置。
【発明の詳細な説明】
【技術分野】
【０００１】
本発明は、電磁調理器のような加熱調理装置に関するものであり、特に、魚等を焼くためのグリル手段のついた加熱調理装置に関するものである。
【背景技術】
【０００２】
従来より、このようなグリル手段付加熱調理装置においては、魚等を出し入れするための開閉可能な扉がグリルボックスに装着され、扉とグリルボックスにより高温煤焼室が構成されている。図５は、このような従来の加熱調理器の要部側面断面図であり、図６は、同じく要部正面断面図である。また図７は、同じくグリルボックスの斜視図である。
【０００３】
これらの図において、１は加熱調理器の本体であり、２はグリルボックスである。また、４は本体１に一端部を取り付けられ、他端をグリルボックス２上部に延設させたヒーターである。さらに、５はグリルボックス２の周囲に取り付けられ、ヒーター４の熱がグリルボックス２の外側へ放出されるのを防止する遮熱板である。
【０００４】
また、６はグリルボックス２の前面開放部を閉塞するとともに、グリルボックス２に着脱可能且つ開閉可能に取り付けられる扉部材である。さらに、扉部材６にはその開閉動作に合わせて調理物が出し入れされるようにグリル受け皿７が取り付けられている。また、２１はグリルボックス２に設けられたガイドレールであり、これは左右内側面より突設するレール状の絞り出しとなっていて、グリル受け皿７を引き出した状態で手を放しても、これをガイドして落ちないようにする働きをしている。
【０００５】
グリルボックス２の清掃は、扉部材６をグリルボックス２から取り外した状態で行う。ところが、この場合グリルボックス２内部の清掃は行い難く不便であり、またグリルボックス２の丸洗い等はできず、清掃性に問題があった。そこで、グリルボックスを本体から取り外して丸洗いできる構成のものが提案されている（例えば、特許文献１参照。）。
【特許文献１】特開２００２−１１９４２８号公報
【発明の開示】
【発明が解決しようとする課題】
【０００６】
しかしながら、上記特許文献１に記載されているような構成では、グリルボックスを丸洗いするにしても、図７に示したようにグリルボックスが薄くて奥行きも長く、手が入りづらく内部も見づらいため、とても清掃性が良いとはいえなかった。また、上述した従来のいずれの構成においても、魚等を焼く時に周囲に飛散した油が、グリルボックスの内側壁面を伝わって滴り落ち、底面に溜まってグリル受け皿の下面を汚すので、調理後のグリル受け皿の置き場所についても問題が生じていた。
【０００７】
本発明は、上記従来技術の問題点に鑑みなされたものであり、簡単な構成で、グリルボックスの清掃作業を簡便に、しかも確実に行えるようにした加熱調理装置を提供することを目的とする。
【課題を解決するための手段】
【０００８】
上記目的を達成するために、本発明では、グリルボックスの内側に、グリルボックスへの調理物からの油類の飛散，付着を防止するオイルガードを備え、これをグリルボックスから外側へ引き出すことが可能である構成としている。
【０００９】
また、オイルガードは、略Ｕ字或いは略コ字状の断面を有し、下方に開口したアーチ形としている。さらに、オイルガードの内側壁面を伝わって滴り落ちる油類が、グリル受け皿に落下するように、オイルガードの左右側面の下端部を、内側に所定の角度で曲げている。
【００１０】
加えて、グリルボックスに、オイルガード用とグリル受け皿用とを兼ねるガイドレールを設けている。また、オイルガードがグリルボックスから自然に抜け出るのを防止するための抜け止め部を設けている。
【発明の効果】
【００１１】
本発明によれば、簡単な構成で、グリルボックスの清掃作業を簡便に、しかも確実に行えるようにした加熱調理装置を提供することができる。
【００１２】
具体的には、グリルボックスは調理物からの油類の飛散，付着がないため、加熱調理装置本体から取り外す必要がなく、清掃作業が容易になるとともに、グリルボックスを遮へいするオイルガードの丸洗いも可能となる。
【発明を実施するための最良の形態】
【００１３】
以下、本発明の実施の形態について、図面を参照しながら説明する。なお、前記従来技術と共通する部分には同一の符号を付して、詳細な説明を適宜省略する。本発明の加熱調理装置は、本体内部に設けられたグリルボックスと、その内側に設けられたオイルガードと、グリルボックスに開閉可能に取り付けられた扉部材とを備えている。オイルガードは、グリルボックスへの調理物からの油類の飛散，付着を防止する働きをしており、グリルボックスから外側へ引き出すことを可能とする構成である。
【実施例１】
【００１４】
図１は、本発明の一実施例に係る加熱調理器の要部側面断面図であり、図２は、同じく要部正面断面図である。また図３は、同じくオイルガードの斜視図である。さらに図４は、オイルガードの抜け止め部を示す要部の拡大図である。同図（ａ）は左側面図であり、同図（ｂ）は正面図で図２におけるＡ部の詳細図である。これらの図において、３はグリルボックス２の内部に設けられ、グリルボックス２への調理物からの油類の飛散，付着を防止するオイルガードである。
【００１５】
オイルガード３は、略Ｕ字或いは略コ字状の断面を有するアーチ形をしており、下方に開口している。また、図１及び図２に示すように、オイルガード３はガイドレール２１の上辺に沿って、グリルボックス２の内側を前後にスライドするようになっている。ここでは、ガイドレール２１はオイルガード３用とグリル受け皿７用とを兼ねている。図３に示す３２は、オイルガード３の左右のスソ部であり、オイルガード３の内側壁面を伝わって滴り落ちる油が、オイルガード３下側に設けたグリル受け皿７上に落下するように、内側に所定の角度で曲げられている。
【００１６】
また、同じく図３に示すように、オイルガード３の前面左右に設けたフランジ部Ｆ下部より、オイルガード３が自然に抜け出るのを防止するための、フック状の抜け止め部３１が後方に突設しており、これは図４に示すように、本体前面板１１に設けた縦長のスリット状の穴１２と係合している。
【００１７】
オイルガード３を取り外す場合は、まず、グリルボックス２から扉部材６を取り外した後、オイルガード３と本体前面板１１との係合を解除するため、オイルガード３前部を少し上方へ持ち上げる。これにより、抜け止め部３１が穴１２から外れ、オイルガード３をグリルボックス２から外側へ引き出すことが可能となる。
【００１８】
外側へ引き出されたオイルガード３は、単独で丸洗いすることが可能である。しかも、オイルガード３は下方に大きく開口しているので、内部が洗浄しやすく、高い清掃性を有している。また、グリルボックス２は、オイルガード３で遮へいされることにより、調理物からの油類の飛散，付着がないため、加熱調理装置本体から取り外す必要がなく、清掃作業が容易になる。
【図面の簡単な説明】
【００１９】
【図１】本発明の一実施例に係る加熱調理器の要部側面断面図。
【図２】本発明の一実施例に係る加熱調理器の要部正面断面図。
【図３】本発明の一実施例に係る加熱調理器のオイルガードの斜視図。
【図４】オイルガードの抜け止め部を示す要部の拡大図。
【図５】従来の加熱調理器の要部側面断面図。
【図６】従来の加熱調理器の要部正面断面図。
【図７】従来の加熱調理器のグリルボックスの斜視図。
【符号の説明】
【００２０】
１    本体
２    グリルボックス
３    オイルガード
４    ヒーター
５    遮熱板
６    扉部材
７    グリル受け皿
１１    本体前面板
１２    穴
２１    ガイドレール
３１    抜け止め部
３２    スソ部
Ｆ    フランジ部
【図１】
2005074150.tif 000003
【図２】
2005074150.tif 000004
【図３】
2005074150.tif 000005
【図４】
2005074150.tif 000006
【図５】
2005074150.tif 000007
【図６】
2005074150.tif 000008
【図７】
2005074150.tif 000009